(57)【要約】【課題】副吸込口を有するとともにフードの高さ調整をすることができることを目的とする。【解決手段】化粧板はフランジ部７を設けた外板８と外板８の内側に設けた内板９とで構成され、外板８と内板９との間に送風装置４と連通する導風路を形成し、フランジ部７の上部に副吸込口１０設けたという構成にしたことにより、外板８の内部に沿って内板９が上下に移動するので、副吸込口１０を有するとともに筒状部の高さ調整をすることができるレンジフードを得られる。【選択図】図１
2014163599.tif 000002
【特許請求の範囲】
【請求項１】
調理器の上方に配設され下方に開口するフード部と、このフード部の上方に設けられ、内部にシロッコファンを有するファンケーシングを備えた送風装置と、前記送風装置と屋外に連通する排気流の風路と、前記フード部において捕集できなかった油煙や埃を吸込む副吸込口とを備えたレンジフードにおいて、前記送風装置と前記排気流の前記風路の周囲を覆う化粧板と、前記化粧板はフランジ部を設けた外板と前記外板の内側に設けた内板とで構成され、前記外板と前記内板との間に前記送風装置と連通する導風路を形成し、前記フランジ部の上部に副吸込口設けたことを特徴とすることを特徴としたレンジフード。
【請求項２】
副吸込口をフランジ部の全周に設けたことを特徴とする請求項１に記載のレンジフード。
【発明の詳細な説明】
【技術分野】
【０００１】
本発明は、副吸込口を有するレンジフードに関し、特にフードの設置高さを調整可能なレンジフードに関するものである。
【背景技術】
【０００２】
従来、この種のレンジフードは、副吸込口が筒状部の表面に形成されたものが知られている（例えば、特許文献１参照）。
【０００３】
以下、その換気装置について図４を参照しながら説明する。
【０００４】
レンジフードは、調理器の上方に配設されたフード部１０１に設けられた開口から油煙などを吸い込み屋外に排出するものである。
【０００５】
その場合、特にアイランドタイプのキッチンに使用されるセンターフードやペニンシュラタイプのキッチンに使用されるサイドフードの場合、フード周囲が開放されているため、エアコン等の横風の影響を受けやすく、フード部１０１において捕集できずに上昇する油煙が発生しやすい。
【０００６】
この場合、上昇した油煙は、天井面付近に滞留してしまい、これらの油煙を効果的に屋外に排出することが困難であった。
【０００７】
特許文献１のレンジフードは、調理器上方に配設され下方に開口するフード部１０１と、このフード部１０１の上方に設けられフード部１０１の開口から排気される油煙の風路を内部に形成する筒状部１０２を備え、筒状部１０２の上方の天井１０３の裏側に送風装置１０４を設け、油煙はフード部１０１の開口から吸い込まれ筒状部１０２の内側を通りダクト１０５を介して屋外に排出するように構成したレンジフードにおいて、筒状部１０２に副吸込口１０６を形成して設けたものである。
【０００８】
上記構成において、筒状部１０２の上部に設けた副吸込口１０６から、天井１０３面に滞留してしまった油煙や埃を含んだ汚れた空気、および、調理器等で暖められた高温の空気までも効率よく屋外に排出し、油煙や埃の捕集性を高めたレンジフードを提案している。
【先行技術文献】
【特許文献】
【０００９】
【特許文献１】特開２００５−９０８７８号公報
【発明の概要】
【発明が解決しようとする課題】
【００１０】
上記センターフードの場合においては、フードの調理機器からの高さを決定する際、調理機器からの天井までの高さの制約を受けるため、筒状部の高さ調整が求められる。
【００１１】
しかし、このような従来のレンジフードにおいては、副吸込口が筒状部の表面に形成されているため捕集性能は確保されるが筒状部の高さ調整ができない、という課題を有していた。
【００１２】
そこで本発明は、上記従来の課題を解決するものであり、副吸込み口を有するとともに筒状部の高さ調整をすることができるレンジフードを提供することを目的とする。
【課題を解決するための手段】
【００１３】
そして、この目的を達成するために、本発明は、調理器の上方に配設され下方に開口するフード部と、このフード部の上方に設けられ、内部にシロッコファンを有するファンケーシングを備えた送風装置と、前記送風装置と屋外に連通する排気流の風路と、前記フード部において捕集できなかった油煙や埃を吸込む副吸込口とを備えたレンジフードにおいて、前記送風装置と前記排気流の前記風路の周囲を覆う化粧板と、前記化粧板はフランジ部を設けた外板と前記外板の内側に設けた内板とで構成され、前記外板と前記内板との間に前記送風装置と連通する導風路を形成し、前記フランジ部の上部に副吸込口を設けたことを特徴とする。
【発明の効果】
【００１４】
本発明によれば、調理器の上方に配設され下方に開口するフード部と、このフード部の上方に設けられ、内部にシロッコファンを有するファンケーシングを備えた送風装置と、前記送風装置と屋外に連通する排気流の風路と、前記フード部において捕集できなかった油煙や埃を吸込む副吸込口とを備えたレンジフードにおいて、前記送風装置と前記排気流の前記風路の周囲を覆う化粧板と、前記化粧板はフランジ部を設けた外板と前記外板の内側に設けた内板とで構成され、前記外板と前記内板との間に前記送風装置と連通する導風路を形成し、前記フランジ部の上部に副吸込口設けた、という構成にしたことにより、前記外板と前記内板との間に設けた前記送風装置と連通する導風路に沿って内板が上下に移動することとなるので、副吸込み口を有するとともにフードの高さ調整をすることができる、という効果を得ることができる。
【図面の簡単な説明】
【００１５】
【図１】本発明の実施の形態１のレンジフードを示す縦断側面図
【図２】同レンジフードの化粧板のスライド部を示す拡大図
【図３】本発明の実施の形態２のレンジフードを示す斜視図
【図４】従来のレンジフードを示す正面図
【発明を実施するための形態】
【００１６】
本発明の請求項１記載のレンジフードは、加熱調理器の上方に配設され下方に開口するフード部と、このフード部の上方に設けられ、内部にシロッコファンを有するファンケーシングを備えた送風装置と、前記送風装置と屋外に連通する排気流の風路と、前記フード部において捕集できなかった油煙や埃を吸込む副吸込口とを備えたレンジフードにおいて、前記送風装置と前記排気流の前記風路の周囲を覆う化粧板と、前記化粧板はフランジ部を設けた外板と前記外板の内側に設けた内板とで構成され、前記外板と前記内板との間に前記送風装置と連通する導風路を形成し、前記フランジ部の上部に副吸込口設けた、という構成を有する。
【００１７】
これにより、外板の内部に一体構成された導風路に沿って内板が上下に移動することとなるので、副吸込口を有するとともにフードの高さ調整をするこができる、という効果を奏する。
【００１８】
また、副吸込口をフランジ部の全周に設けた、という構成にしてもよい。
【００１９】
これにより、排気流がフランジ部の全周から吸込まれるので、より排気流の吸込み性能を向上することができる、という効果を奏する。
【００２０】
以下、本発明の実施の形態について図面を参照しながら説明する。
【００２１】
（実施の形態１）
本実施の形態のレンジフードは、ＩＨコンロやガスコンロ等の加熱調理器１の上方に設置される。
【００２２】
また、後述するが、背景技術の筒状部は本実施の形態の外板と内板に相当する。
【００２３】
図１、２に示すように、加熱調理器１の上方に配設され下方に開口する例えば方形上の逆お椀状（下方に凹状を有している）のフード部２（図１では整流板を記載しているが、なくても本願発明の作用・効果にかわりはない）と、このフード部２の上方に設けられ、内部に回転方向が上下になるようにシロッコファンを有し、前記シロッコファンを覆うようにファンケーシング３を備えた送風装置４と、送風装置４の下方に設けた開口である副吸込開口５を設け、送風装置４の吹出口は上方に設けられた排気ダクト６と接続されて屋外と連通している。
【００２４】
そして、送風装置４と排気ダクト６とを覆うように化粧板が取り付けられる。
【００２５】
前記化粧板は、上部に内側に凸状のフランジ部７を設けた外板８と、この外板８の内側に設けた内板９とで構成される。
【００２６】
外板８は、フランジ部７にフランジ部７に沿った長孔状の副吸込口１０を設け、副吸込口１０と送風装置４に設けた副吸込開口５を連通する役目をなし、外板８の内側に一体で構成された導風路形成板１１を設ける。
【００２７】
副吸込口１０は、外板８の上部に位置するフランジ部７に設けることにより、外板８と内板９で構成されている化粧板の人が普段見る表面に副吸込口１０が人が普段見る側に露出することがなくデザイン性に優れる。
【００２８】
上記構成によれば、送風装置４を運転すると、加熱調理器１等から発生する油煙などが上昇し、強制的な排気流によってフード部２内に油煙が引き込まれ、送風装置４の吸込口（図示せず）からファンである前記シロッコファンを介して排気ダクト６を通って屋外に排出される。
【００２９】
よって、フード部２内に追い込むことができなくて、フード部２の周囲に漏れ出た油煙は、上昇気流によって天井（図示せず）付近に至るが、化粧板である外板８に設けた副吸込口１０から同じく化粧板である外板８の内側に設けた導風路形成板１１が形成する導風路（図示せず）を経由し、送風装置４の下方に設けた副吸込開口５からファンケーシング３に吸い込まれ、また、フード部２から吸込まれた排気流と合流して前記シロッコファンを介して排気ダクト６を通って屋外へ排出される。
【００３０】
図２に示すように、化粧板である外板８の内側（送風装置４側）に設けた内板９は、外板８の内側に一体で構成された導風路形成板１１に沿って上下にスライドする構成であり、内板９は外板８の端部から天井までを覆い、内板９の上端は天井面に固定される。
【００３１】
これにより、導風路形成板１１がガイドとなることで、簡素な構成により内板９のスライド可能となる。
【００３２】
上記構成によれば、有効な副吸込開口面積を確保したまま、設置高さの調整が可能となるため、油煙や埃の捕集性を高めたまま、天井高さが異なるキッチンに対して設置対応が可能となる。
【００３３】
（実施の形態２）
実施の形態１と相違するのは、図３に示すように、化粧板である外板８のフランジ部７に設けた副吸込口１０をフランジ部７の全周に設けることであり、その他の構成については同じ符号を付し、詳細な説明は省略する。
【００３４】
これにより、天井付近に滞留する油煙をより効率的に排気可能となり、特にアイランドタイプのキッチンに使用されるセンターフードやペニンシュラタイプのキッチンに使用されるサイドフードのように横風の影響を受けてフード下部の主吸込口から油煙が漏れ易いタイプのレンジフードにおいて効果的である。
【産業上の利用可能性】
【００３５】
本発明にかかるレンジフードは、化粧板の外板フランジ部に副吸込口を形成することで、フード部において捕集できなかった油煙を捕集することが可能となり、またフードの高さを調整することができる分野に適用することができる。
【符号の説明】
【００３６】
１    加熱調理器
２    フード部
３    ファンケーシング
４    送風装置
５    副吸込開口
６    排気ダクト
７    フランジ部
８    外板
９    内板
１０  副吸込口
１１  導風路形成板
【図１】
2014163599.tif 000003
【図２】
2014163599.tif 000004
【図３】
2014163599.tif 000005
【図４】
2014163599.tif 000006